(57)【特許請求の範囲】
【請求項１】
容器本体と、
前記容器本体の開口部を閉塞するように設けられた蓋と、
前記蓋を覆うように着脱自在に設けられた孔を有するカバー体
とを具備してなり、
前記蓋は、前記容器本体の開口部を閉塞する為の蓋の基材と、該基材に形成された孔と、該孔を閉塞するように設けられた閉塞材とを具備し、前記閉塞材は、閉蓋された容器を加熱処理した際の内圧増加により破損する強度のものであり、
容器をテーブル上に置いた場合、前記カバー体の孔が前記蓋基材の孔の真上には位置しないように形成されてなる
ことを特徴とする容器。
【請求項２】
閉塞材は、容器本体に対して蓋を取り付ける為のシーラントを用いて構成されてなる
ことを特徴とする請求項１の容器。
【請求項３】
基材の閉塞材が設けられていない側の面には孔を閉塞するようにシール材が設けられてなる
ことを特徴とする請求項１の容器。
【請求項４】
シール材は、閉蓋された容器を加熱処理した際の内圧増加により閉塞材が破損する前に剥離するように構成されたものである
ことを特徴とする請求項３の容器。
【請求項５】
シール材は、閉蓋された容器を加熱処理した際の内圧増加により閉塞材が破損する前に、一部が剥離し、一部は剥離しないように構成されたものである
ことを特徴とする請求項３又は請求項４の容器。
【請求項６】
シール材は、熱収縮性フィルムを用いて構成されたものである
ことを特徴とする請求項３〜請求項５いずれかの容器。
【請求項７】
シール材は、熱収縮性フィルムと、前記熱収縮性フィルムに熱を効率的に伝える為の伝熱材とを用いて構成されたものである
ことを特徴とする請求項３〜請求項６いずれかの容器。
【請求項８】
熱収縮性フィルムに熱を効率的に伝える為の伝熱材が、金属粉含有塗膜層である
ことを特徴とする請求項７の容器。
【発明の詳細な説明】
【０００１】
【発明の属する技術分野】
本発明は、例えば電子レンジを用いて調理される食べ物が入れられた容器に関する。
【０００２】
【発明が解決しようとする課題】
昨今、手間が掛からないことから、容器のまま電子レンジに入れて加熱調理する形態の食べ物が広く普及している。
【０００３】
しかし、蓋を開けずに、つまり蓋がされたままで容器を電子レンジに入れて加熱すると、加熱処理した際の内圧増加により、容器本体が破損（破裂）し、内容物が電子レンジ内で飛散する恐れがある。
【０００４】
このようなことから、密封容器の外装材の一部として金属製部材にスリットを形成し、前記金属製部材の一面に剥離不能に積層してなる熱可塑性樹脂により前記スリットを被覆し、電子レンジのマイクロ波により前記スリットに被覆した熱可塑性樹脂が溶融されるようにしたことを特徴とする電子レンジ調理用密封容器が提案（特許第２７７３１３８号）されている。
【０００５】
又、外層が耐熱性のある熱可塑性樹脂フィルムからなり、内層がシーラントフィルムからなり、そして中間層には剥離剤層を設けてなる積層プラスチックフィルムよりなる電子レンジ加熱対応包材が提案（特開平９−２７２１８０号）されている。
【０００６】
しかし、前者の技術のものでは、電子レンジのマイクロ波により溶融した熱可塑性樹脂が容器内部に溶融滴下し、食べ物に混じってしまうのでは無いかとの不安感がある。
【０００７】
又、後者のものでは、加熱処理した際の内圧増加により蓋が剥離し、この剥離部分から水蒸気が抜け出し、容器本体の破裂が防止されるものの、冷却後にあっては減圧によって容器本体が窪んでしまう等の問題が起きる。
【０００８】
従って、本発明が解決しようとする第１の課題は、蓋がされたままで容器を電子レンジに入れて加熱した場合、容器本体が破裂せず、内容物が電子レンジ内で飛散することが無いようにした容器を提供することである。
【０００９】
本発明が解決しようとする第２の課題は、蓋がされたままで容器を電子レンジに入れて加熱した場合、容器本体の破裂が防止されるだけで無く、冷却後にあっては減圧によって容器本体が窪んでしまうことも無いようにした容器を提供することである。
【００１０】
本発明が解決しようとする第３の課題は、蓋がされたままで容器を電子レンジに入れて加熱した場合、容器本体の破裂が防止されるだけで無く、その際、電子レンジのマイクロ波により溶融した熱可塑性樹脂が容器内部に溶融滴下し、これが食べ物に混じってしまうのでは無いかとの不安感を引き起こすことも無いようにした容器を提供することである。
【課題を解決するための手段】
前記の課題は、容器本体の開口部を閉塞する為の蓋の基材と、
前記基材に形成された孔と、
前記孔を閉塞するように設けられた閉塞材
とを具備してなり、
前記閉塞材は、閉蓋された容器を加熱処理した際の内圧増加により破損する強度のものであることを特徴とする蓋によって解決される。
【００１１】
すなわち、容器本体の開口部を閉塞する為の蓋の基材に所望の大きさの孔を形成しておき、そしてこの孔を閉塞するように閉塞材を設け、この閉塞材は加熱処理した際の内圧増加により破損（容器本体が破裂する前に、閉塞材が破損）する強度のものとしておけば、容器本体が破裂する前に機械的強度の弱い閉塞材が破損し、加熱水蒸気などは孔から外部に飛散する。
【００１２】
従って、容器本体の破裂は防止される。そして、内容物が電子レンジ内で飛散することが無い。又、冷却後にあっては、減圧によって容器本体が窪んでしまうことも無い。すなわち、孔から自由に空気が出入りするので、容器本体が窪んでしまうことは無い。更には、閉塞材を溶融させるものでは無いから、容器内部に溶融滴下し、これが食べ物に混じってしまうのでは無いかとの不安感を引き起こすことも無い。
【００１３】
又、前記の課題は、容器本体の開口部を閉塞する為の蓋の基材と、
前記基材に形成された孔と、
前記孔を閉塞するように設けられた閉塞材
とを具備してなり、
前記閉塞材は、容器本体に対して蓋を取り付ける為のシーラントを用いて構成されてなり、かつ、閉蓋された容器を加熱処理した際の内圧増加により破損する強度のものであることを特徴とする蓋によって解決される。
【００１４】
そして、このように構成させた場合、上記の特長が奏されるだけでは無く、容器本体を蓋に取り付ける為の剤が蓋には必要であり、この剤でもって閉塞材を構成させれば、それだけコストが低廉なものとなり、又、製造もそれだけ簡単なものになる。
【００１５】
本発明にあっては、上記の構成要件に付け加えて、上記基材の閉塞材が設けられていない側の面には孔を閉塞するようにシール材が設けられてなるものが好ましい。特に、シール材は、閉蓋された容器を加熱処理した際の内圧増加により閉塞材が破損する前に剥離するように構成されたものが好ましい。中でも、シール材は、閉蓋された容器を加熱処理した際の内圧増加により閉塞材が破損する前に、一部が剥離し、一部は剥離しないように構成されたものが好ましい。
【００１６】
すなわち、シール材を基材の上面側に設けておけば、内容物に対する安全性がそれだけ高くなる。例えば、悪戯に対する安全性が高くなる。
【００１７】
上記特長を奏するシール材は、例えば熱収縮性フィルムを用いて構成される。特に、熱収縮性フィルムと、前記熱収縮性フィルムに熱を効率的に伝える為の伝熱材とを用いて構成される。熱収縮性フィルムに熱を効率的に伝える為の伝熱材としては、金属粉含有塗膜層が挙げられる。すなわち、Ａｌ粉やＣｕ粉と言った金属粉とバインダ樹脂とを含む塗料を熱収縮性フィルムの一面に塗布・乾燥させることによって、好ましいシール材が得られる。
【００１８】
又、前記の課題は、容器本体の開口部を閉塞する為の蓋の基材と、
前記基材に形成された孔と、
前記孔を閉塞するように前記基材の上面側に設けられたシール材
とを具備してなり、
前記シール材は、閉蓋された容器を加熱処理した際の内圧増加により剥離する強度のものであることを特徴とする蓋によって解決される。
【００１９】
又、前記の課題は、容器本体と、
前記容器本体の開口部を閉塞するように設けられた上記の蓋
とを具備することを特徴とする容器によって解決される。
【００２０】
特に、容器本体と、
前記容器本体の開口部を閉塞するように設けられた上記の蓋と、
前記蓋を覆うように着脱自在に設けられたカバー体とを具備してなり、
前記カバー体には孔が形成されてなる
ことを特徴とする容器によって解決される。
【００２１】
このカバー体があると、閉塞材が破損して、その際、内容物が飛散しても、カバー体によって外部への飛散を完全に防止できる。
【００２２】
尚、容器をテーブル上に置いた場合、カバー体の孔が蓋基材の孔の真上には位置しないように形成しておくことが一層好ましい。
【発明の実施の形態】
本発明になる蓋は、容器本体の開口部を閉塞する為の蓋の基材と、前記基材に形成された孔と、前記孔を閉塞するように設けられた閉塞材とを具備してなり、前記閉塞材は、閉蓋された容器を加熱処理した際の内圧増加により破損する強度のものである。特に、容器本体の開口部を閉塞する為の蓋の基材と、前記基材に形成された孔と、前記孔を閉塞するように設けられた閉塞材とを具備してなり、前記閉塞材は、容器本体に対して蓋を取り付ける為のシーラントを用いて構成されてなり、かつ、閉蓋された容器を加熱処理した際の内圧増加により破損する強度のものである。シーラントが設けられる部分は、蓋基材の一面側（内面側）の全面に設けたものであっても、一部（少なくとも容器本体との接合面と孔とに対応する部分）に設けたものであっても良い。シーラントとしては、電子レンジで加熱調理を行った際に、シーラントとしての機能、例えば封緘性、開封性、安全性、衛生性などの機能が損なわれない樹脂であれば如何なる樹脂でも良い。例えば、ポリエチレン、ポリプロピレン、ポリエステル、エチレン−酢ビ共重合体などの熱可塑性樹脂を用いることが出来る。設けられるシーラント層の厚さは、約５〜５０、特に１０〜２５μｍである。
【００２３】
基材の閉塞材が設けられていない側の面には孔を閉塞するようにシール材が設けられている。このシール材は、閉蓋された容器を加熱処理した際の内圧増加により閉塞材が破損する前に剥離するように構成されたものである。中でも、閉蓋された容器を加熱処理した際の内圧増加により閉塞材が破損する前に、一部が剥離し、一部は剥離しないように構成されたものである。このようなシール材は、例えば熱収縮性フィルムを用いて構成される。例えば、収縮率が３０〜２００％、特に５０〜１００％（８０〜１００℃において）の熱収縮性フィルムを用いて構成される。具体的には、一軸延伸ポリオレフィン樹脂やポリエステル樹脂などを用いることが出来る。特に、前記のような熱収縮性フィルムと、前記熱収縮性フィルムに熱を効率的に伝える為の伝熱材とを用いて構成される。熱収縮性フィルムに熱を効率的に伝える為の伝熱材としては、金属粉含有塗膜層が挙げられる。例えば、Ａｌ粉やＣｕ粉と言った金属粉とバインダ樹脂とを含む塗料を熱収縮性フィルムの一面に塗布・乾燥させることによって、好ましいシール材が得られる。
【００２４】
又、本発明になる蓋は、容器本体の開口部を閉塞する為の蓋の基材と、前記基材に形成された孔と、前記孔を閉塞するように前記基材の上面側に設けられたシール材とを具備してなり、前記シール材は、閉蓋された容器を加熱処理した際の内圧増加により剥離する強度のものである。
【００２５】
本発明になる容器は、容器本体と、前記容器本体の開口部を閉塞するように設けられた上記の蓋とを具備するものである。特に、容器本体と、前記容器本体の開口部を閉塞するように設けられた上記の蓋と、前記蓋を覆うように着脱自在に設けられたカバー体とを具備してなり、前記カバー体には孔が形成されたものである。尚、カバー体の孔は、容器をテーブル上に置いた場合、カバー体の孔が蓋基材の孔の真上には位置しないように形成されている。
【００２６】
以下、更に詳しく説明する。
【００２７】
図１は本発明になる蓋が設けられた容器の概略断面図、図２は蓋の平面図、図３は加熱処理後における蓋の状況を示す断面図である。
【００２８】
各図中、Ａは容器本体、Ｂは蓋、Ｃはカバー体である。
【００２９】
容器本体Ａは、例えば紙とポリプロピレンとの積層材を用いて、カップ状に構成されたものである。
【００３０】
蓋Ｂは、基材１と、この基材１の内面（下面）側の全面にわたって設けられたシーラント層２と、シール材３とからなる。
【００３１】
基材１は、厚さ１２μｍのポリエステル樹脂（例えば、ポリエチレンテレフタレート）と、５０ｇ／ｍ2 の紙と、厚さ１２μｍの空気透過に対してバリヤー性を有するポリエステル樹脂と、厚さ２５μｍのポリエステル樹脂と、厚さ２０μｍのポリプロピレンとの積層材で構成されたものである。勿論、基材１としては、これに限られるものでは無い。通常、蓋材として用いられるものであれば用いることが出来る。
【００３２】
基材１には、例えば中央部の位置に大きさが５〜３０ｍｍ、特に７〜１５ｍｍの孔４が形成されている。又、タブとして用いる為の凸部５が形成されている。
孔４を閉塞するように基材１の全面にわたって設けられたシーラント層２は、例えばポリプロピレンを用いて構成されたものである。尚、シーラント層２の厚さは約１０〜２５μｍである。
【００３３】
３は、孔４を閉塞するように基材１の外面（上面）側に設けられたシール材である。このシール材３は、Ａｌ粉とバインダ樹脂とからなる金属粉含有塗膜層６と、ＰＥＴ等の熱収縮性フィルム７と、紙８と、ＰＥＴ等の熱収縮性フィルム９と、ガスバリヤー性のフィルム１０と、シーラント層１１とからなる。尚、シール材３の構成は、これに限られるものでは無い。但し、少なくとも金属粉含有塗膜層と熱収縮性フィルムとシーラント層とを具備するものが好ましい。
【００３４】
そして、内容物Ｄを容器本体Ａ内に入れた後、容器本体Ａに対して蓋Ｂを配置し、すなわち基材１のシーラント層２を容器本体Ａのフランジ面に突き合わし、シーラーによってシーラント層２を容器本体Ａのフランジ面に接合させることによって、蓋Ｂが容器本体Ａに対して固着される。
【００３５】
蓋Ｂを覆うように容器本体Ａに対して着脱自在に設けられたカバー体Ｃは、透明ないしは半透明な樹脂素材を用いて所定の形状に構成されたものである。このカバー体Ｃには孔１２が形成されている。尚、図１からも判る通り、孔１２の位置は、容器をテーブル上に置いた場合、カバー体Ｃの孔１２が蓋Ｂ基材１の孔４の真上には位置しないように形成されている。
【００３６】
上記のように構成された容器を電子レンジに入れて加熱すると、先ず、シール材３が図３に示すようにカールし、孔４に対応する部分が剥離する。尚、孔４に対応していない部分は、シール強度が強いので、図３からも判る通り、剥離しない。
【００３７】
この後、加熱に伴って容器内の圧力が増す。これによって、図３からも判る通り、孔４に対向した位置のシーラント層２が破れる。そして、これによって内外が繋がるので、容器本体が破裂するようなことは無くなる。又、内容物Ｄが外部に飛散するようなことも起きない。
【００３８】
図４は、本発明の他の実施形態を示す蓋が設けられた容器の概略断面図である。
【００３９】
前記実施形態にあっては、基材に形成された孔４を閉塞する閉塞材は、容器本体に対して蓋を取り付ける為のシーラントを用いて構成したものである。
【００４０】
しかし、本実施形態にあっては、図４からも判る通り、孔４の位置ではシーラント層２が欠けた構成となっている。
【００４１】
そして、孔４を閉塞するのは基材１の外面（上面）側に設けられたシール材であり、このシール材３は閉蓋された容器を加熱処理した際の内圧増加により剥離する強度のものであるよう設定されている。
【００４２】
シール材３は、閉蓋された容器を加熱処理した際の内圧増加により剥離する強度のものであれば如何なるものでも良い。例えば、前記実施形態の構造のシール材３に限られないが、本実施形態では、前記実施形態の構造のシール材３を採用した。そして、図１と同じ符号のものは同一構成を示す為、その他の詳細な説明は省略する。
【発明の効果】
蓋がされたままで容器を電子レンジに入れて加熱した場合でも、容器本体が破裂せず、内容物が電子レンジ内で飛散することが無い。かつ、冷却後にあっては、減圧によって容器本体が窪んでしまうことも無い。更には、電子レンジのマイクロ波により溶融した熱可塑性樹脂が容器内部に溶融滴下し、これが食べ物に混じってしまうのでは無いかとの不安感を引き起こすことも無い。
【図面の簡単な説明】
【図１】本発明になる蓋が設けられた容器の概略断面図
【図２】本発明になる蓋の平面図
【図３】加熱処理後における本発明になる蓋の状況を示す断面図
【図４】本発明になる他の実施形態の蓋が設けられた容器の概略断面図
【符号の説明】
Ａ      容器本体
Ｂ      蓋
Ｃ      カバー体
Ｄ      内容物
１      基材
２      シーラント層
３      シール材
４      孔
５      凸部
６      金属粉含有塗膜層
７      熱収縮性フィルム
【図１】
0004132607.tif 000002
【図２】
0004132607.tif 000003
【図３】
0004132607.tif 000004
【図４】
0004132607.tif 000005